(57)【要約】【課題】ユーザの利用中に省電力モードに移行することを防止し、ユーザの利便性を向上できる携帯端末を提供する。【解決手段】携帯端末１では、パルスセンサ１０１によって主にユーザの脈拍を検出し、温度センサ１０２によって主にユーザの体温を検出する。そして、パルスセンサ１０１による検出結果及び温度センサ１０２による検出結果に基づいて、ユーザＵが筐体１ａを把持しているか否かを判断し、ユーザＵが筐体１ａを把持していると判断された場合に、省電力モードへの移行の停止又は移行の解除を行っている。パルス検出と温度検出との組み合わせて用いることにより、ユーザＵが筐体１ａを把持しているか否かを精度良く判断することが可能となり、ユーザＵの利用中に省電力モードに移行することを防止できるので、ユーザＵの利便性を向上できる。【選択図】図２
2014174696.tif 000002
【特許請求の範囲】
【請求項１】
所定条件を満たした場合に省電力モードへの移行を行う表示制御手段を備えた携帯端末であって、
前記携帯端末の筐体に設けられたパルス検出手段及び温度検出手段と、
前記パルス検出手段による検出結果及び前記温度検出手段による検出結果に基づいて、ユーザが前記筐体を把持しているか否かを判断する把持判断手段と、を備え、
前記表示制御手段は、前記把持判断手段によって前記ユーザが前記筐体を把持していると判断された場合に、前記省電力モードへの移行の停止又は移行の解除を行うことを特徴とする携帯端末。
【請求項２】
前記把持判断手段は、前記パルス検出手段によって前記所定周波数のパルスが検出されたか否かの判断を行った後に、前記温度検出手段によって前記所定温度範囲の温度が検出されたか否かの判断を行うことを特徴とする請求項１記載の携帯端末。
【請求項３】
前記表示制御手段は、前記省電力モードへの移行の停止又は移行の解除を行った場合に、停止又は解除から所定時間が経過するまでは前記省電力モードへの移行の停止を継続することを特徴とする請求項１又は２記載の携帯端末。
【請求項４】
前記把持判断手段は、前記所定時間内に前記パルス検出手段によって前記所定周波数のパルスが検出されたか否かの判断を行い、
前記表示制御手段は、前記パルス検出手段によって前記所定周波数のパルスが検出されなくなるまで、前記省電力モードへの移行の停止を継続することを特徴とする請求項３記載の携帯端末。
【請求項５】
前記パルス検出手段の端子部及び温度検出手段の端子部がいずれも前記筐体の側面部に配置されていることを特徴とする請求項１〜４のいずれか一項記載の携帯端末。
【発明の詳細な説明】
【技術分野】
【０００１】
本発明は、携帯端末に関する。
【背景技術】
【０００２】
携帯端末において、電力の消費を低減させる目的で、ユーザが所定期間にわたって端末を操作していない場合に自動で省電力モードに移行する機能を備えたものがある。このような省電力モードに移行すると、例えば次にユーザが何らかの操作を行うまで、端末のディスプレイ等がオフ状態となる。例えば特許文献１に記載の携帯端末装置では、ユーザが予め登録した省電力モード移行条件に基づいて、移行条件を満たした場合に端末を省電力モードに移行する手法が開示されている。
【先行技術文献】
【特許文献】
【０００３】
【特許文献１】特開２０１２−２０３７６３号公報
【発明の概要】
【発明が解決しようとする課題】
【０００４】
しかしながら、上述したような従来の省電力モードでは、メールの閲覧などのユーザの操作を伴わない状況が続いた場合に、実際にはユーザが端末を利用しているにもかかわらず省電力モードに移行してしまい、ユーザの利便性が損なわれるという問題があった。このような問題は、ユーザが端末を利用する場面が様々なことから、予め省電力モードへの移行条件を受け付けるだけでは解決することが困難である。
【０００５】
本発明は、上記課題の解決のためになされたものであり、ユーザの利用中に省電力モードに移行することを防止し、ユーザの利便性を向上できる携帯端末を提供することを目的とする。
【課題を解決するための手段】
【０００６】
上記課題の解決のため、本発明に係る携帯端末は、所定条件を満たした場合に省電力モードへの移行を行う表示制御手段を備えた携帯端末であって、携帯端末の筐体に設けられたパルス検出手段及び温度検出手段と、パルス検出手段による検出結果及び温度検出手段による検出結果に基づいて、ユーザが筐体を把持しているか否かを判断する把持判断手段と、を備え、表示制御手段は、把持判断手段によってユーザが筐体を把持していると判断された場合に、省電力モードへの移行の停止又は移行の解除を行うことを特徴としている。
【０００７】
この携帯端末では、パルス検出手段によって主にユーザの脈拍を検出し、温度検出手段によって主にユーザの体温を検出する。そして、パルス検出手段による検出結果及び温度検出手段による検出結果に基づいて、ユーザが筐体を把持しているか否かを判断し、ユーザが筐体を把持していると判断された場合に、省電力モードへの移行の停止又は移行の解除を行っている。パルス検出と温度検出との組み合わせて用いることにより、ユーザが筐体を把持しているか否かを精度良く判断することが可能となり、ユーザの利用中に省電力モードに移行することを防止できるので、ユーザの利便性を向上できる。
【０００８】
また、把持判断手段は、パルス検出手段によって所定周波数のパルスが検出されたか否かの判断を行った後に、温度検出手段によって所定温度範囲の温度が検出されたか否かの判断を行うことが好ましい。携帯端末の周囲の温度等に影響される温度検出に比べて、パルス検出は周囲の影響を受けずにユーザの脈拍を検出することが可能である。したがって、温度検出に先立ってパルス検出を行うことで、ユーザが筐体を把持しているか否かをより精度良く判断できる。
【０００９】
また、表示制御手段は、省電力モードへの移行の停止又は移行の解除を行った場合に、当該停止又は解除から所定時間が経過するまでは省電力モードへの移行の停止を継続することが好ましい。これにより、ユーザの利用中に省電力モードに移行することを一層確実に防止できる。
【００１０】
また、把持判断手段は、所定時間内にパルス検出手段によって所定周波数のパルスが検出されたか否かの判断を行い、表示制御手段は、パルス検出手段によって所定周波数のパルスが検出されなくなるまで、省電力モードへの移行の停止を継続することが好ましい。これにより、ユーザの利用中に省電力モードに移行することを一層確実に防止できる。
【００１１】
また、パルス検出手段の端子部及び温度検出手段の端子部がいずれも筐体の側面部に配置されていることが好ましい。これにより、ユーザが筐体を把持しているか否かを精度良く判断することが可能となる。
【発明の効果】
【００１２】
本発明に係る携帯端末によれば、ユーザの利用中に省電力モードに移行することを防止し、ユーザの利便性を向上できる。
【図面の簡単な説明】
【００１３】
【図１】本発明に係る携帯端末の一実施形態を示す斜視図である。
【図２】図１に示した携帯端末の機能的な構成要素を示すブロック図である。
【図３】図１に示した携帯端末の動作を示すフローチャートである。
【発明を実施するための形態】
【００１４】
以下、図面を参照しながら、本発明に係る携帯端末の好適な実施形態について詳細に説明する。
【００１５】
本発明に係る携帯端末の一実施形態を示す斜視図である。同図に示すように、携帯端末１は、物理的には、例えばＣＰＵ（中央処理装置）、メモリ、通信インターフェイス、ハードディスクなどを備えた携帯電話機である。携帯端末１の筐体１ａは、ユーザＵが片手で持つことが可能な程度の大きさの薄板状となっており、筐体１ａの正面側には、タッチパネル型の表示部２や操作ボタンなどが設けられている。
【００１６】
表示部２には、例えば携帯端末１で使用されるアプリケーションを起動させるための複数のアイコンが整列表示される。この携帯端末１には、電力の消費を低減させる目的で、ユーザＵが所定時間にわたって表示部２へのタッチ操作や操作ボタンの押下を行わなかった場合に自動で省電力モードに移行し、表示部２をオフ状態とする機能が搭載されている。以下、この機能の詳細について説明する。
【００１７】
図２は、図１に示した携帯端末の機能的な構成要素を示すブロック図である。同図に示すように、携帯端末１は、省電力モードを実施するための機能的な要素として、端子部３と、パルスセンサ（パルス検出手段）１０１と、温度センサ（温度検出手段）１０２と、把持判断部（把持判断手段）１０３と、表示制御部（表示制御手段）１０４とを備えている。
【００１８】
端子部３は、パルスセンサ１０１及び温度センサ１０２の感応部として機能する部分である。端子部３は、例えば金属等の通電素材によって線状に形成され、ユーザＵが筐体１ａを様々な態様で把持することを考慮し、筐体１ａの側面部の全周にわたって配置されている（図１参照）。
【００１９】
パルスセンサ１０１は、所定周波数のパルスを検出する部分であり、主に端子部３におけるユーザＵの脈拍の検出を行う。また、温度センサ１０２は、所定温度範囲の温度を検出する部分であり、主に端子部３におけるユーザＵの体温の検出を行う。パルスセンサ１０１及び温度センサ１０２は、検出結果を示す情報を把持判断部１０３に出力する。
【００２０】
把持判断部１０３は、パルスセンサ１０１による検出結果及び温度センサ１０２による検出結果に基づいて、ユーザＵが筐体１ａを把持しているか否かを判断する部分である。把持判断部１０３は、パルスセンサ１０１によるユーザＵの脈拍、及び温度センサ１０２によるユーザＵの体温のいずれか一方が検出されている場合にユーザＵが筐体１ａを把持していると判断し、いずれも検出されない場合にユーザＵが筐体１ａを把持していないと判断する。把持判断部１０３は、判断結果を示す情報を表示制御部１０４に出力する。
【００２１】
表示制御部１０４は、表示部２の制御を行う部分である。表示制御部１０４は、把持判断部１０３の判断結果に基づいて省電力モードの制御を行う。より具体的には、表示制御部１０４は、把持判断部１０３によってユーザＵが筐体１ａを把持していないと判断された場合には、予め定められた移行条件を満たしたときに省電力モードに移行し、表示部２をオフ状態にする。また、表示制御部１０４は、把持判断部１０３によってユーザＵが筐体１ａを把持していると判断された場合には、省電力モードへの移行の停止又は移行の解除を行い、表示部２をオン状態とする。
【００２２】
続いて、上述した携帯端末１の動作について説明する。
【００２３】
図３は、図１に示した携帯端末の動作を示すフローチャートである。同図に示すように、携帯端末１では、まず、パルスセンサ１０１による脈拍の検出の有無が判断される（ステップＳ０１）。脈拍が検出されない場合、引き続いて温度センサ１０２による体温の検出の有無が判断される（ステップＳ０２）。体温の検出もされない場合、ユーザＵが筐体１ａを把持していないと判断され、省電力モードの移行条件を満足したか否かが判断される（ステップＳ０３）。移行条件を満足した場合、省電力モードへの移行が行われ、表示部２がオフ状態となる（ステップＳ０４）。移行条件を満足していない場合、ステップＳ０１に戻って脈拍の検出及び体温の検出が繰り返し実行される。
【００２４】
一方、ステップＳ０１で脈拍が検出された場合、及びステップＳ０２で体温が検出された場合、ユーザＵが筐体１ａを把持していると判断され、省電力モードへの移行の停止又は移行の解除がなされ、表示部２がオン状態となる（ステップＳ０５）。この場合、省電力モードへの移行の停止又は移行の解除から所定時間が経過するまでは省電力モードへの移行の停止が継続され、表示部２のオン状態が継続される。
【００２５】
この所定時間が経過するまでの間、パルスセンサ１０１による脈拍の検出の有無が判断される（ステップＳ０６）。所定時間内に脈拍が検出された場合には、その後脈拍が検出されなくなるまで省電力モードへの移行の停止が継続される（ステップＳ０７）。一方、所定時間内に脈拍が検出されなかった場合には、所定時間経過後に直ちに省電力モードへの移行が行われ、表示部２がオフ状態となる（ステップＳ０８）。
【００２６】
以上説明したように、携帯端末１では、パルスセンサ１０１によって主にユーザの脈拍を検出し、温度センサ１０２によって主にユーザの体温を検出する。そして、パルスセンサ１０１による検出結果及び温度センサ１０２による検出結果に基づいて、ユーザＵが筐体１ａを把持しているか否かを判断し、ユーザＵが筐体１ａを把持していると判断された場合に、省電力モードへの移行の停止又は移行の解除を行っている。パルス検出と温度検出との組み合わせて用いることにより、ユーザＵが筐体１ａを把持しているか否かを精度良く判断することが可能となり、ユーザＵの利用中に省電力モードに移行することを防止できるので、ユーザＵの利便性を向上できる。
【００２７】
また、携帯端末１では、パルスセンサ１０１による脈拍の検出の判断を行った後に、温度センサ１０２による体温の検出の判断を行っている。携帯端末１の周囲の温度等に影響される温度検出に比べて、パルス検出は周囲の影響を受けずにユーザＵの脈拍を検出することが可能である。したがって、温度検出に先立ってパルス検出を行うことで、ユーザＵが筐体１ａを把持しているか否かをより精度良く判断できる。
【００２８】
また、携帯端末１では、省電力モードへの移行の停止又は移行の解除を行った場合に、当該停止又は解除から所定時間が経過するまでは省電力モードへの移行の停止を継続する。これに加え、携帯端末１では、所定時間内にパルスセンサ１０１によって脈拍が検出されたか否かの判断を行い、パルスセンサ１０１によって脈拍が検出されなくなるまで、省電力モードへの移行の停止を継続する。ユーザＵの利用中に省電力モードに移行することを一層確実に防止できる。また、省電力モードへの移行の停止の継続が終了したときに直ちに省電力モードに移行することで、省電力モードによる電力の消費を低減効果も担保される。
【符号の説明】
【００２９】
１…携帯端末、１ａ…筐体、１０１…パルスセンサ（パルス検出手段）、１０２…温度センサ（温度検出手段）、１０３…把持判断部（把持判断手段）、１０４…表示制御手段（表示制御部）、Ｕ…ユーザ。
【図１】
2014174696.tif 000003
【図２】
2014174696.tif 000004
【図３】
2014174696.tif 000005